(57)【要約】【課題】内部空間から歯合を潤滑する潤滑油が流出すること、及び、外部からの高い圧力を有する流体が進入すること等に対して、安定したシール力を得る。【解決手段】カップリングセンタ３に歯合するカップリングケース１と、カップリングケース１及びカップリングセンタ３の間をシールするシール構造２０とを備え、該シール構造２０は、カップリングセンタ３に周方向にわたって密接された第１シール部材１４と、カップリングセンタ３の外周に配設され内周面に嵌め込まれた第１シール部材１４の全体をカップリングセンタ３に圧接させるリング部材１０と、カップリングケース１に設けられ外部とカップリングケース１及びカップリングセンタ３で形成される内部空間５とを遮蔽し該リング部材１０を径方向へ移動自在に支持する押さえ板１１及びシム１６とを有する。【選択図】図１
2011021619.tif 000002
【特許請求の範囲】
【請求項１】
一方の回転体に歯合するカップリングケースと該カップリングケースの一端側に設けられ該カップリングケース及び該一方の回転体の間をシールするシール構造とを備え、該カップリングケースの他端に他方の回転体が連結され、該両回転体の回転軸同士に生じる相対的な変位を許容してトルクを伝達させるギヤカップリングであって、
前記シール構造は、
前記一方の回転体に周方向にわたって密接された第１シール部材と、
前記一方の回転体の外周に配設され、内周面に嵌め込まれた前記第１シール部材の全体を前記一方の回転体に圧接させるリング部材と、
前記カップリングケースに設けられ、外部と前記カップリングケース及び前記一方の回転体で形成される内部空間とを遮蔽し、該リング部材を径方向へ移動自在に支持する支持部材と
を有することを特徴とするギヤカップリング。
【請求項２】
前記支持部材は、前記リング部材を軸方向に全体的に挟持して外部と前記カップリングケース及び前記一方の回転体で形成される内部空間とを遮蔽することを特徴とする請求項１に記載のギヤカップリング。
【請求項３】
前記シール構造は、
前記一方の回転体を緩嵌するように設けられ、前記支持部材が前記リング部材を挟持する挟持面に嵌め込まれた第２シール部材
を有していることを特徴とする請求項２に記載のギヤカップリング。
【請求項４】
前記リング部材は、前記支持部材が該リング部材を挟持する挟持面に潤滑油を収容する溝部が形成されていることを特徴とする請求項２又は３に記載のギヤカップリング。
【発明の詳細な説明】
【技術分野】
【０００１】
本発明は、ギヤカップリングに関する。
【背景技術】
【０００２】
工作機械の回転体同士の連結においては、継手として、特許文献１に記載されているようなギヤカップリングが用いられている。このようなギヤカップリングにおいては、回転体同士の軸ずれに対する可撓性を持たせるために、カップリングセンタの外歯の歯面を外方に凸な円弧形状にしている。また、このようなギヤカップリングでは、両回転軸の径方向の隙間に回転体同士で圧接させた封入用のＯリングを設けることで、潤滑油をシールしている。
【０００３】
【特許文献１】特開２００４−１６９８１５号公報
【発明の概要】
【発明が解決しようとする課題】
【０００４】
特許文献１において、Ｏリングによって潤滑油を封入しているが、回転体同士の軸ずれの状況によっては、１つのＯリングであっても箇所によって圧力の疎密が生じる可能性がある。例えば、一方の回転体に対して他方の回転軸が角度変位を生じた場合、Ｏリングの一方側に対する回転体同士の加圧は大きくなり、Ｏリングの他方側に対する回転体同士の加圧は小さくなる。そのため、回転体同士によるＯリングへの加圧が小さい箇所から潤滑油漏れが生じる場合がある。
【０００５】
また、ギヤカップリングが鉄鋼等を圧延する圧延ロールへの駆動伝達等に用いられる場合、ギヤカップリングは圧延装置冷却のための放水により高圧の水にさらされる。この場合、回転体同士によるＯリングへの加圧が小さい箇所を介して水が内部に侵入し、潤滑油性能を著しく低下させて歯部損傷を招く虞がある。
【０００６】
そこで、本発明は、回転体同士に生じる相対的な変位に係らず、カップリングケース及び該一方の回転体の隙間を介して、内部空間から歯合を潤滑する潤滑油が流出すること、及び、外部からの高い圧力を有する流体が進入すること等に対して、安定したシール力を得ることを目的とする。
【課題を解決するための手段】
【０００７】
本発明は、一方の回転体に歯合するカップリングケースと該カップリングケースの一端側に設けられ該カップリングケース及び該一方の回転体の間をシールするシール構造とを備え、該カップリングケースの他端に他方の回転体が連結され、該両回転体の回転軸同士に生じる相対的な変位を許容してトルクを伝達させるギヤカップリングであって、前記シール構造は、前記一方の回転体に周方向にわたって密接された第１シール部材と、前記一方の回転体の外周に配設され内周面に嵌め込まれた前記第１シール部材の全体を前記一方の回転体に圧接させるリング部材と、前記カップリングケースに設けられ外部と前記カップリングケース及び前記一方の回転体で形成される内部空間とを遮蔽し該リング部材を径方向へ移動自在に支持する支持部材とを有している。
【０００８】
上記構成によれば、第１シール部材は一方の回転体に密接され、支持部材によって径方向へ移動自在に支持されるリング部材は第１シール部材の全体を一方の回転体に圧接させている。これにより、他方の回転体に対して一方の回転体が変位した場合であっても、第１シール部材を圧接する第１シール部材が一方の回転体に追従して変位するため、リング部材は第１シール部材の全体を一方の回転体に対して均等の圧力を与えることができる。その結果、シール構造は、一方の回転体の径方向の位置に係らず、第１シール部材全体に圧力の疎密を生じさせることなくリング部材と一方の回転体との隙間をシールすることができる。
【０００９】
また、シール構造は、支持部材によって、外部とカップリングケース及び一方の回転体で形成される内部空間とを遮蔽する。その結果、支持部材は、リング部材を径方向へ移動自在に支持すると共に、カップリングケースとリング部材とに生じる隙間をシールすることができる。
【００１０】
これらによって、回転軸同士に生じる相対的な変位に係らず、カップリングケース及び該一方の回転体の隙間を介して、内部空間から歯合を潤滑する潤滑油が流出すること、及び、外部からの高い圧力を有する流体が進入すること等に対して、安定したシール力を得ることができる。
【００１１】
また、本発明のギヤカップリングにおける前記支持部材は、前記リング部材を軸方向に全体的に挟持して外部と前記カップリングケース及び前記一方の回転体で形成される内部空間とを遮蔽している。
【００１２】
上記構成によれば、支持部材は、前記リング部材を挟持し軸方向に全体的に挟持する。これにより、支持部材は、カップリングケースとリング部材とに生じる隙間をシールすることができる。
【００１３】
また、本発明のギヤカップリングにおける前記シール構造は、前記一方の回転体を緩嵌するように設けられ、前記支持部材が前記リング部材を挟持する挟持面に嵌め込まれた第２シール部材を有している。
【００１４】
上記構成によれば、シール構造は、一方の回転体の外周を緩嵌するように設けられ、支持部材がリング部材を挟持する挟持面に嵌め込まれた第２シール部材を有している。これにより、カップリングケースとリング部材とに生じる隙間のシール性能をさらに向上させることができる。
【００１５】
また、本発明のギヤカップリングにおける前記リング部材は、前記支持部材が該リング部材を挟持する挟持面に潤滑油を収容する溝部が形成されている。
【００１６】
上記構成によれば、リング部材には、支持部材との挟持面に潤滑油を収容する溝部が形成されている。これにより、外部から流体等が進入した場合に該進入体により溝部内の潤滑油が押し出されて内部空間に潤滑油が進入される。その結果、歯車を潤滑する潤滑油の性能を低下することを防止することができる。
【発明の効果】
【００１７】
本発明は、回転軸同士に生じる相対的な変位に係らず、内部空間から歯合を潤滑する潤滑油が流出すること、及び、外部からの高い圧力を有する流体が進入すること等に対して、安定したシール力を得ることができる。
【図面の簡単な説明】
【００１８】
【図１】ギヤカップリングを示す模式図であり、上半分が断面図であり、下半分が側面図である。
【図２】ギヤカップリングの部分拡大された断面を示す模式図である。
【図３】ギヤカップリングの動作を示す説明図である。
【図４】ギヤカップリングの動作を示す説明図である。
【発明を実施するための形態】
【００１９】
以下、本発明の実施の形態に係るギヤカップリングについて説明する。
【００２０】
（ギヤカップリング１００の構成）
図１に示すように、ギヤカップリング１００は、２つの回転体（カップリングセンタ３、及び、リジット２）を連結するカップリングケース１と、カップリングケース１をシールするシール構造２０とを備えている。
【００２１】
図示しないが、カップリングセンタ３にモータ等の駆動側機械の主軸が嵌入され、リジット２に圧延用ローラ等の従動側機械の主軸が嵌入される。以下、カップリングケース１及び回転体２・３等の軸方向について、駆動側機械に接続されるカップリングセンタ３側を「駆動側」、従動側機械に接続されるリジット２側を「従動側」として説明する（図１参照）。尚、本発明はこの構成に限定されず、リジット２側を駆動側、カップリングセンタ３を従動側としてもよい。
【００２２】
（カップリングケース１）
図１に示すように、カップリングケース１は、カップリングセンタ３の端部を覆うように配置されている。即ち、カップリングセンタ３は、カップリングケース１の駆動側である一端から突出するように嵌め込まれている。
【００２３】
カップリングケース１には、内歯１ａと、フランジ部１ｂと、立上げ部１ｃと、拡大部１ｄと、ケース溝１ｅとが形成されている。
【００２４】
内歯１ａは、カップリングケース１の内周面の周方向に内歯１ａが形成されている。内歯１ａは、カップリングセンタ３の外周面の周方向に形成された外歯３ａに歯合する。これにより、カップリングセンタ３のトルクが、外歯３ａから内歯１ａを介して、カップリングケース１に連結されるリジット２に伝達される。
【００２５】
尚、カップリングセンタ３の外歯３ａは、歯面及び歯先に凸型のクラウニングが形成されている。これにより、該両回転体２・３の回転軸同士に生じる相対的な変位を許容してトルクを伝達させることができるようになっている。即ち、ギヤカップリング１００は、リジット２の中心軸に対してカップリングセンタ３の中心軸に角度変位が生じ、内歯１ａに対して外歯３ａが傾いた状態であっても両回転体２・３についてトルクを伝達することができるようになっている。
【００２６】
フランジ部１ｂは、カップリングケース１の従動側である他端に形成されている。フランジ部１ｂは、リジット２の端部に形成されたフランジに、複数のボルトによって軸方向へ螺接されている。これにより、カップリングケース１の従動側の開放面がリジット２の端部によって遮蔽される。
【００２７】
尚、螺接面のカップリングケース１側には、周方向に延在する軸方向へ凹んだ溝が形成されている。該溝には、ゴムリング８が嵌合されており、カップリングケース１及びリジット２の螺接面を介した潤滑油漏れを防止することができるようになっている。
【００２８】
立上げ部１ｃは、内歯１ａの駆動側において径方向外側に立上げられて形成されている。拡大部１ｄは、カップリングケース１の一端部における周面を構成し、内歯１ａが形成された箇所の径より大きく形成されている。拡大部１ｄには、シール構造２０が有するリング部材１０が立上げ部１ｃに当接して緩嵌される。
【００２９】
ケース溝１ｅは、カップリングケース１内周面における立上げ部１ｃと内歯１ａとの間の位置に、周方向に延在され径方向へ凹んで形成されている。ケース溝１ｅには、Ｏリング７が嵌合されている。Ｏリング７は、カップリングケース１、リジット２、及び、カップリングセンタ３により形成される内部空間４をシールするようになっている。Ｏリング７は、内部空間４に収容され内歯１ａ及び外歯３ａの歯合を潤滑する潤滑油の外部漏れを防止する。
【００３０】
また、Ｏリング７によって内部空間４がシールされることにより、Ｏリング７よりも駆動側には、カップリングケース１及びカップリングセンタ３によって、内部空間５が形成される。内部空間５は、シール構造２０によってシールされる。尚、通常、内部空間４・５は、夫々潤滑油で満たされるようになっている。
【００３１】
上述のフランジ部１ｂには、外部と内部空間４とを径方向に連通する貫通孔４ａが形成されている。貫通孔４ａは、フランジ部１ｂにおいて対向方向に２箇所形成されている。また、上述の拡大部１ｄには、外部と内部空間５とを径方向に連通する貫通孔５ａが形成されている。貫通孔５ａは、拡大部１ｄにおいて対向方向に２箇所形成されている。
【００３２】
通常、貫通孔４ａ・５ａは、螺合するネジにより栓がなされる。また、内部空間４・５への潤滑油を供給する際に、貫通孔４ａ・５ａの栓が外される。具体的に、潤滑油を供給する際には、内部空間４に、一方の貫通孔４ａから新しい潤滑油が供給され、他方の貫通孔４ａから古い潤滑油が排出されるようになっている。内部空間５への貫通孔５ａを用いた給脂も同様に行われるようになっている。
【００３３】
（シール構造２０）
ここで、シール構造２０について説明する。図２は、ギヤカップリングの部分拡大された断面を示す模式図である。図２に示すように、シール構造２０は、第１シール部材１４と、第２シール部材１５と、リング部材１０と、押さえ板１１と、シム１６とを有している。
【００３４】
第１シール部材１４は、外歯３ａよりもカップリングケース１の一端側の位置において、カップリングセンタ３の周方向にわたって密接して設けられている。第２シール部材１５は、カップリングセンタ３を緩嵌するように設けられる。第１シール部材１４、第２シール部材１５、及び、上述のＯリング７は、弾性を有するゴム素材で形成されている。
【００３５】
リング部材１０は、断面が角形のドーナス状に形成され、カップリングセンタ３の外周に配設される。また、リング部材１０は、立上げ部１ｃの駆動側に当接して設けられる。リング部材１０には、リング溝１０ａと、リング溝１０ｂと、複数の収容溝１０ｃが形成されている。
【００３６】
リング溝１０ａは、リング部材１０の内周面に、径方向へ凹状に周方向へ延在させて形成されている。リング溝１０ａには、第１シール部材１４が嵌め込まれる。これにより、リング部材１０は、第１シール部材１４の全体をカップリングセンタ３に圧接するようになっている。即ち、第１シール部材１４は、リング部材１０とカップリングセンタ３との隙間をシールするようになっている。また、リング部材１０は、第１シール部材１４をカップリングセンタ３に圧接するため、カップリングセンタ３に追従して変位するようになっている。
【００３７】
リング溝１０ｂは、リング部材１０の駆動側の面に、軸方向へ凹状に周方向へ延在させて形成されている。リング溝１０ａには、第２シール部材１５が嵌め込まれる。
【００３８】
収容溝１０ｃは、リング部材１０の従動側の面に、軸方向へ凹状に径方向に延在させて形成されている。即ち、中心軸から見て複数の収容溝１０ｃが放射状に形成されている。収容溝１０ｃは、リング部材１０と立上げ部１ｃとが当接されることにより、リング部材１０を径方向に貫通する貫通孔となる。
【００３９】
押さえ板１１は、中央が貫通した円板状である。押さえ板１１は、複数のボルト１２によって、シム１６を介して拡大部１ｄの駆動側端面に軸方向へ螺接されている。押さえ板１１は、立上げ部１ｃとでリング部材１０を軸方向に挟持して支持する。即ち、押さえ板１１は、リング溝１０ｂに嵌合された第２シール部材１５全体に対し圧力を付勢する。これにより、カップリングケース１とリング部材１０との隙間を、リング部材１０を径方向へ移動自在にシールすることができるようになっている。
【００４０】
シム１６は、中央が貫通した円板状である。シム１６は、拡大部１ｄと押さえ板１１との間に挟まれて螺接される。尚、シム１６は、黄銅等の展延性・絞り加工性に優れた素材であることが望ましい。これにより、ボルト１２の絞緩によって第２シール部材１５に対する押さえ板１１の圧力を調整することができる。さらに、シム１６に弾性がないためボルト１２の緩みを軽減し調整した圧力を維持することができる。
【００４１】
即ち、押さえ板１１とシム１６とは、カップリングケース１に設けられ、外部と内部空間５とを遮蔽し、リング部材１０を径方向へ移動自在に支持する支持部材として機能する。
【００４２】
このように、カップリングケース１とリング部材１０との間、及び、リング部材１０とカップリングセンタ３との間をシールすることができるため、外部からの高い圧力を有する流体が進入すること等に対して、安定したシール力を得ることができる。次に、このような外部からの進入体に対するギヤカップリング１００の動作を、リジット２に対してカップリングセンタ３が変位を生じた場合について説明する。
【００４３】
（ギヤカップリング１００の動作）
本実施形態のギヤカップリング１００は、上述のように、外歯３ａにクラウニングが形成されているため、リジット２、及び、カップリングセンタ３が相対的に角度変位を生じた場合であっても、カップリングセンタ３からのトルクをリジット２へ伝達することができる。
【００４４】
先ず、このような角度変位が生じた場合について、カップリングセンタ３の駆動側端部がカップリングケース１に近づけられた側（以下、近接側）のギヤカップリング１００の動作について図３を参照して説明する。尚、図３において、変位前（リジット２とカップリングセンタ３との中心軸が同一直線上）のカップリングセンタ３の外面を２点鎖線で示す。また、図３中の矢印は、リング部材１０及びカップリングセンタ３の変位前からの動作方向を示す。
【００４５】
図３の例では、カップリングセンタ３は駆動側端部がカップリングケース１側に回動している。これにより、カップリングセンタ３は、Ｏリング７をカップリングケース１にさらに押し付ける。これにより、ギヤカップリング１００の近接側では、Ｏリング７の内部空間４をシールするシール力がさらに向上する。
【００４６】
また、第１シール部材１４をカップリングセンタ３に圧接するリング部材１０は、カップリングセンタ３に追従して、径方向に移動する。具体的に、リング部材１０は、立上げ部１ｃと押さえ板１１とで挟持されている。これにより、立上げ部１ｃと押さえ板１１とに摺動して、拡大部１ｄ方向へ移動する。尚、押さえ板１１側ではリング部材１０に勘合された第２シール部材１５が押さえ板１１上を摺動する。
【００４７】
このように、ギヤカップリング１００の近接側において、リング部材１０とカップリングセンタ３との位置関係は径方向に変位しないため、リング部材１０とカップリングセンタ３との間の第１シール部材１４への圧力についても変位しない。これにより、ギヤカップリング１００の近接側について、上述のような角度変位が生じる前後で第１シール部材１４のシール力は変わらない。
【００４８】
また、立上げ部１ｃと押さえ板１１との位置関係は軸方向に変位しないため、立上げ部１ｃとに挟持されるリング部材１０と押さえ板１１との間の第２シール部材１５への圧力についても変位しない。これにより、ギヤカップリング１００の近接側について、上述のような角度変位が生じる前後で、第２シール部材１５のシール力は変わらない。
【００４９】
また、カップリングセンタ３の駆動側端部がカップリングケース１から遠ざけられた側（以下、遠方側）のギヤカップリング１００について図４を参照して説明する。図３と同様に、変位前のカップリングセンタ３の外面を２点鎖線で示す。また、図４中の矢印は、リング部材１０及びカップリングセンタ３の変位前からの動作方向を示す。
【００５０】
図４の例では、カップリングセンタ３は駆動側がカップリングケース１から離れる方向へ回動している。これにより、カップリングセンタ３が、カップリングケース１にＯリング７を押し付ける圧力は弱くなる。しかしながら、Ｏリング７は、弾性を有しているため内部空間４のシールを維持することができるようになっている。
【００５１】
また、第１シール部材１４をカップリングセンタ３に圧接するリング部材１０は、カップリングセンタ３に追従して、径方向に移動する。具体的に、リング部材１０は、立上げ部１ｃと押さえ板１１とで挟持されているため、立上げ部１ｃと押さえ板１１とに摺動して、拡大部１ｄから離れる径方向へ移動する。
【００５２】
このように、ギヤカップリング１００の遠方側において、リング部材１０とカップリングセンタ３との位置関係は径方向に変位しないため、近接側と同様に、上述のような角度変位が生じる前後で第１シール部材１４のシール力は変わらない。
【００５３】
また、立上げ部１ｃと押さえ板１１との位置関係は軸方向に変位しないため、近接側と同様に、ギヤカップリング１００の近接側について、上述のような角度変位が生じる前後で第２シール部材１５のシール力は変わらない。
【００５４】
このようにして、第１シール部材１４はカップリングセンタ３に密接され、押さえ板１１とシム１６とによって径方向へ移動自在に支持されるリング部材１０は第１シール部材１４の全体をカップリングセンタ３に圧接させている。これにより、リジット２に対してカップリングセンタ３が変位した場合であっても、第１シール部材１４を圧接するリング部材１０がカップリングセンタ３に追従して変位するため、リング部材１０は第１シール部材１４の全体をカップリングセンタ３に対して均等の圧力を与えることができる。その結果、シール構造２０は、カップリングセンタ３の径方向の位置に係らず、第１シール部材１４全体に圧力の疎密を生じさせることなくリング部材１０とカップリングセンタ３との隙間をシールすることができる。
【００５５】
また、シール構造２０は、押さえ板１１とシム１６とでリング部材１０を挟持することによって、外部とカップリングケース１及びカップリングセンタ３で形成される内部空間５とを遮蔽する。その結果、押さえ板１１とシム１６とは、リング部材１０を径方向へ移動自在に支持すると共に、カップリングケース１とリング部材１０とに生じる隙間をシールすることができる。
【００５６】
これらによって、リジット２及びカップリングセンタ３同士に生じる相対的な変位に係らず、カップリングケース１及びカップリングセンタ３の隙間を介して、内部空間５から潤滑油が流出すること、及び、外部からの高い圧力を有する流体が進入すること等に対して、安定したシール力を得ることができる。
【００５７】
さらに、内部空間５は、潤滑油で満たされるため、内部空間４をシールするＯリング７に圧力の弱い箇所が生じた場合であっても、内部空間４から内部空間５へ潤滑油が流出させない。
【００５８】
また、押さえ板１１とリング部材１０との間から、水等が進入した場合であっても、進入した水等によって収容溝１０ｃを通って内部空間５に満たされる潤滑油が内部空間４へ押し出される。これにより、内歯１ａ及び外歯３ａの歯合を潤滑する潤滑油を収容する内部空間４へ水等が進入されない。これにより、内部空間４内の潤滑油の劣化を防止することができる。
【００５９】
（本実施の形態の概要）
以上のように、本実施形態のギヤカップリング１００は、一方の回転体（カップリングセンタ３）に歯合するカップリングケース（カップリングケース１）と該カップリングケースの一端側に設けられ該カップリングケース及び該一方の回転体の間をシールするシール構造（シール構造２０）とを備え、該カップリングケースの他端に他方の回転体（リジット２）が連結され、該両回転体の回転軸同士に生じる相対的な変位を許容してトルクを伝達させるギヤカップリングであって、シール構造は、一方の回転体に周方向にわたって密接された第１シール部材（第１シール部材１４）と、一方の回転体の外周に配設され内周面に嵌め込まれた第１シール部材の全体を一方の回転体に圧接させるリング部材（リング部材１０）と、カップリングケースに設けられ外部とカップリングケース及び一方の回転体で形成される内部空間（内部空間５）とを遮蔽し該リング部材を径方向へ移動自在に支持する支持部材（押さえ板１１、及び、シム１６等）とを有する構成にされている。
【００６０】
上記構成によれば、第１シール部材は一方の回転体に密接され、支持部材によって径方向へ移動自在に支持されるリング部材は第１シール部材の全体を一方の回転体に圧接させている。これにより、他方の回転体に対して一方の回転体が変位した場合であっても、第１シール部材を圧接するリング部材が一方の回転体に追従して変位するため、リング部材は第１シール部材の全体を一方の回転体に対して均等の圧力を与えることができる。その結果、シール構造は、一方の回転体の径方向の位置に係らず、第１シール部材全体に圧力の疎密を生じさせることなくリング部材と一方の回転体との隙間をシールすることができる。
【００６１】
また、シール構造は、支持部材によって、外部とカップリングケース及び一方の回転体で形成される内部空間とを遮蔽する。その結果、支持部材は、リング部材を径方向へ移動自在に支持すると共に、カップリングケースとリング部材とに生じる隙間をシールすることができる。
【００６２】
これらによって、回転軸同士に生じる相対的な変位に係らず、カップリングケース及び該一方の回転体の隙間を介して、内部空間から歯合を潤滑する潤滑油が流出すること、及び、外部からの高い圧力を有する流体が進入すること等に対して、安定したシール力を得ることができる。
【００６３】
また、本実施形態のギヤカップリングの支持部材は、リング部材を軸方向に全体的に挟持して外部とカップリングケース及び一方の回転体で形成される内部空間とを遮蔽する構成にされている。
【００６４】
上記構成によれば、支持部材は、前記リング部材を挟持し軸方向に全体的に挟持する。これにより、支持部材は、カップリングケースとリング部材とに生じる隙間をシールすることができる。
【００６５】
また、本実施形態のギヤカップリングのシール構造は、一方の回転体を緩嵌するように設けられ、支持部材がリング部材を挟持する挟持面に嵌め込まれた第２シール部材（第２シール部材１５）を有する構成にされている。
【００６６】
上記構成によれば、シール構造は、一方の回転体の外周を緩嵌するように設けられ、支持部材がリング部材を挟持する挟持面に嵌め込まれた第２シール部材を有している。これにより、カップリングケースとリング部材とに生じる隙間のシール性能をさらに向上させることができる。
【００６７】
また、本実施形態のギヤカップリングのリング部材は、支持部材が該リング部材を挟持する挟持面に潤滑油を収容する溝部（収容溝１０ｃ）が形成された構成にされている。
【００６８】
上記構成によれば、リング部材には、支持部材との挟持面に潤滑油を収容する溝部が形成されている。これにより、外部から流体等が進入した場合に該進入体により溝部内の潤滑油が押し出されて内部空間に潤滑油が進入される。その結果、歯車を潤滑する潤滑油の性能を低下することを防止することができる。
【００６９】
（本実施の形態の変形例）
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【００７０】
また、本実施形態のギヤカップリングは、以下の構成を上述の実施の形態における構成に変更、追加、或いは、重複して備えていても良い。
【００７１】
本実施形態において、Ｏリング７により、歯合を潤滑する潤滑油を収容する収容空間をシールしていたがこれに限定されない。例えば、Ｏリング７を設けずシール構造２０により歯合を潤滑する潤滑油を収容する収容空間をシールするものであってもよい。
【００７２】
また、本実施形態において、リング部材１０とカップリングケース１との隙間を、リング部材１０を挟持することにより遮蔽していたがこれに限定されない。例えば、リング部材１０の径方向に弾性部材を入れることにより遮蔽するものであってもよい。
【００７３】
また、本実施形態において、第２シール部材１５を設けていたがこれに限定されない。例えば、リング部材１０を挟持するのみでリング部材１０とカップリングケース１との隙間を遮蔽するものであってもよい。
【００７４】
また、本実施形態において、リング部材１０に複数の収容溝１０ｃを設けていたがこれに限定されない。例えば、複数の収容溝１０ｃを設けずシール性能を向上させるものであってもよい。
【産業上の利用可能性】
【００７５】
本発明は、回転体同士の相対的な変位を許容してトルクの伝達が可能なギヤカップリング全般に利用することができる。
【符号の説明】
【００７６】
１    カップリングケース
２    リジット
３    カップリングセンタ
５    内部空間
１０    リング部材
１０ｃ    収容溝
１１    押さえ板
１４    第１シール部材
１５    第２シール部材
１６    シム
２０    シール構造
【図１】
2011021619.tif 000003
【図２】
2011021619.tif 000004
【図３】
2011021619.tif 000005
【図４】
2011021619.tif 000006